(57)【要約】【課題】香料と人間の皮膚感覚との相関性を積極的に利用して、人間の皮膚感覚に合致した空調を行うことを可能にする空調システム及び空調方法の提供。【解決手段】空調するべき空間の温度及び／又は湿度を計測する計測手段（温度センサ１、湿度センサ２）と、空調するべき空間内に香料を供給（徐放或いは噴射）する供給手段（４）（ポーラス部材６０Ａ、ノズル６、その他）と、計測された温度及び／又は湿度に対応して供給手段から空調するべき空間内に香料を供給（徐放或いは噴射）せしめる制御手段（コントロールユニット８、８０、８１０）とを有している。【選択図】図１
2006002967.tif 000002
【特許請求の範囲】
【請求項１】
空調するべき空間の温度及び／又は湿度を計測する計測手段と、空調するべき空間内に香料を供給する供給手段と、計測された温度及び／又は湿度に対応して供給手段から空調するべき空間内に香料を供給せしめる制御手段とを有していることを特徴とする空調システム。
【請求項２】
画像を表示する表示手段を有し、前記供給手段は表示手段と一体的に或いは近接して構成されており、前記制御手段は、計測された温度及び／又は湿度に対応して、表示手段に表示するべき画像と、供給するべき香料の種類及びその供給量を決定する制御を行う様に構成されている請求項１の空調システム。
【請求項３】
供給機構から供給される香料の粒子は水分子により包囲されており、空調するべき空間に香料が供給されると香料の粒子が水分子の手段から分離すると共に、空調するべき空間に存在する分子量が比較的大きい分子が香料の粒子を放出した水分子の集団に取り込まれて落下する様に構成されている請求項１、２の何れかの空調システム。
【請求項４】
計測手段により空調するべき空間の温度及び／又は湿度を計測する工程と、計測された温度及び／又は湿度に対応して供給手段から空調するべき空間内に香料を供給するか否かを判断する工程と、空間内に香料を供給する工程、とを有していることを特徴とする空調方法。
【発明の詳細な説明】
【技術分野】
【０００１】
本発明は、体感温度を低下して、清涼感を付与することができる空調技術に関する。
【背景技術】
【０００２】
空調、特に冷房はユーザーが感じる温度（体感温度）により要不要を判断して、作動、非作動が決定される。設定温度についても、その時点におけるユーザーの体感温度を基準として、設定する場合が多い。
ここで、体感温度は、個人差があり、また、気温及び／又は湿度というパラメータと関連している。
【０００３】
ここで体感温度は感覚的なものであるため、その時点における気温及び／又は湿度を正確に反映するものではない。
従って、センサにより気温及び／又は湿度を計測して、冷房の作動、非作動や、設定温度を決定したのでは、冷房対象となる空間内に存在する人間（ユーザー）の感覚に合致した空調を行うことは困難である。
【０００４】
発明者等は種々研究の結果、ある種の香料が徐放された空間では、センサにより計測された気温及び／又は湿度と、空間内の人間の皮膚感覚が相違することを見出した。
しかし、係る知見を積極的に空調に利用した技術は、従来は存在しない。
【０００５】
例えば、従来技術として、室内に香を発生させる香発生装置を有する空調手段は存在する（例えば、特許文献１参照）。
しかし、係る従来技術では、単に空調を行っている室内に芳香を漂わせることを目的としており、香料と人間の皮膚感覚との相関性については全く言及しておらず、当該方向によって清涼感をもたらすことなどについても全く開示されていない。
【特許文献１】特開２００３−２８７２４０号公報
【発明の開示】
【発明が解決しようとする課題】
【０００６】
本発明は上述した従来技術の問題点に鑑みて提案されたものであり、香料と人間の皮膚感覚との相関性を積極的に利用して、人間の皮膚感覚に合致した空調を行うことを可能にする空調システム及び空調方法の提供を目的としている。
【課題を解決するための手段】
【０００７】
本発明の空調システムは、空調するべき空間の温度及び／又は湿度を計測する計測手段（温度センサ１、湿度センサ２）と、空調するべき空間内に香料を供給（徐放或いは噴射）する供給手段（４）（ポーラス部材６０Ａ、ノズル６、その他）と、計測された温度及び／又は湿度に対応して供給手段（４）から空調するべき空間内に香料を供給（徐放或いは噴射）せしめる制御手段（コントロールユニット８、８０、８１０）とを有している（請求項１）。
ここで、前記香料としては、クールミント、メントール系、ローズマリー、柑橘系等、嗅覚及び皮膚（粘膜を含む）に作用して、清涼感を与えるようなタイプの香料が好ましい。
【０００８】
ここで、空調するべき各空間（Ｒ）に香料貯蔵手段（４０）及び供給手段（６０）を設けても良い。或いは、各空間（Ｒ）には供給手段（６０）のみを設け、複数の空間（Ｒ）について単一の香料貯蔵手段（４０）を設け、供給手段（６０）と香料貯蔵手段（４０）とを連通する配管系（５０、５２）を設けても良い。
【０００９】
本発明の空調方法は、計測手段（温度センサ１、湿度センサ２）により空調するべき空間の温度及び／又は湿度を計測する工程（Ｓ１）と、計測された温度及び／又は湿度に対応して供給手段（３）（ポーラス部材６０Ａ、ノズル６、その他）から空調するべき空間内に香料を供給（徐放或いは噴射）するか否かを判断する工程（Ｓ２）と、空間内に香料を供給（徐放或いは噴射）する工程（Ｓ３）、とを有している（請求項４）。
【００１０】
また、本発明の空調システムは、画像を表示する表示手段（ディスプレイ２０等）を有し、前記供給手段（４１、４２、４３）は表示手段（２０）と一体的に或いは近接して構成されており、前記制御手段（８１０）は、計測された温度及び／又は湿度に対応して、表示手段（２０）に表示するべき画像と、供給するべき香料の種類及びその供給量（或いは供給時間）を決定する制御を行う様に構成されているのが好ましい（請求項２）。
【００１１】
さらに、本発明の空調システムにおいて、供給機構から供給される香料の粒子（９Ｍ）は水分子（１４）により包囲されており、空調するべき空間に香料（９Ｍ）が供給されると香料の粒子（９Ｍ）が水分子（１４）の手段から分離すると共に、空調するべき空間に存在する分子量が比較的大きい分子（いわゆる高分子、中分子の物質：１５）が香料の粒子（９Ｍ）を放出した水分子（１４）の集団に取り込まれて落下する様に構成されているのが好ましい（請求項３）。
【発明の効果】
【００１２】
上述した様な構成を具備する本発明の空調システムによれば、温度センサ（１、湿度センサ２）により空調するべき空間の温度及び／又は湿度を計測し、計測された温度及び／又は湿度に対応して供給手段（３）から空調するべき空間内に香料を供給（徐放或いは噴射）するので、室内に供給された香料（例えば、クールミント等のメントール系の香料）が嗅覚を刺激することにより、当該香料を吸引した人間（当該香料が発生する香を嗅いだユーザー）は清涼感を覚える。そして、係る清涼感に起因して、ユーザーは、気温が低下したかのような感覚を抱き、体感温度が低下するのである。
【００１３】
それと共に、係る清涼感を与えるタイプの香料（例えば、クールミント等のメントール系の香料）は、皮膚、粘膜に作用して清涼感を与える（いわゆる「ひやっとした」感じを与える）ので、皮膚感覚的に気温が低くなったような印象を与える。即ち、体感温度が低下した如くの効果を与える。
【００１４】
それと共に、嗅覚及び／又は皮膚感覚として清涼感が得られる結果、大気中の湿度が低下した様な間隔、いわゆる「さらっとした感じ」が得られる。
換言すれば、ユーザーは、嗅覚及び／又は皮膚感覚を介して、暑苦しさから開放され、不快指数が減少した様な感覚を得ることが出来る。
【００１５】
係る嗅覚及び／又は皮膚（粘膜を含む）感覚により体感温度が低下し、「暑苦しい」感じが無くなり、不快指数が低下した様に感じさせることが出来るので、その分だけ冷房の設定温度を低くする必要が無くなる。そのため、省エネルギーにも貢献することが出来る。
【発明を実施するための最良の形態】
【００１６】
以下、添付図面を参照して、本発明の実施形態について説明する。
【００１７】
最初に、図1〜図７を参照して本発明の第１実施形態を説明する。
【００１８】
図１〜図５は、第１実施形態における一実施例を示している。
図1において、全体を符号Aで示す空調システムは、室内に取り付けられた温度センサ１と湿度センサ２と香料供給手段３とを有している。
【００１９】
前記香料供給手段３は、ケーシング３０と、ケーシング３０に内蔵された香料含有霧発生手段４と、制御手段であるコントロールユニット８と、ケーシング３０の外部に設けた送風手段であるブロワ５と、そのブロワ５の先端に取り付けられたノズル６、とを備えて構成されている。
前記香料含有霧発生手段４とブロワ５とは、香料供給管路３５によって連通されている。
【００２０】
前記温度センサ１は入力信号ライン１１によってコントロールユニット８に接続され、前記湿度センサ２は入力信号ライン１２によってコントロールユニット８に接続されており、温度情報、湿度情報がコントロールユニット８に入力される様に構成されている。
【００２１】
前記コントロールユニット８は、制御信号ライン２５によって前記ブロワに接続されている。そして温度センサ１からの室内温度情報及び／又は湿度センサからの湿度情報に基づき、室内温度及び／又は湿度が所定値以上になると前記ブロワ５を作動して、香料含有霧発生手段４で発生した（香料を含有する）霧をノズル６先端から室内に放散させる様に構成されている。
ここで、ブロワ５の回転速度（香料を含有する霧の噴射速度）は、後述するように、一定で、且つ、比較的遅いことが好ましい。
【００２２】
尚、香料含有霧発生手段４は、例えば、図示しない超音波発生手段によって超音波を発信し、以って、香料を含む霧を発生する様に構成することが可能である。或いは、図示しない高周波振動発生器によって高周波振動を与えることによって、香料を含む霧を発生する様に構成しても良い。
超音波発生手段或いは高周波振動発生器を備えた場合には、前記ブロワ５は省略することが出来る。
【００２３】
図示の実施形態において用いる香料としては、クールミント、ローズマリー、柑橘系香料や、メントール系が好適である。また、皮膚、粘膜に作用して、体感温度を低下させる（いわゆる「ひやっとした」清涼感を与える）物質であってもよい。そのような物質を用いれば、皮膚感覚を通じて体感温度を低下させることが出来るので、その分だけ、冷房の設定温度を低くする必要が無くなり、省エネルギーに貢献することが出来る。
【００２４】
香料は、キャリア材に混合させて噴射することが好ましい。ここで、キャリア材としては、界面活性化剤、可溶化剤等の水溶液、アルコール、油（香油）等が挙げられる。
キャリア材としての必要条件は、次の２点である。
（ａ）  香料を均等に存在させることができる（例えば、安定化剤）物質であること。
（ｂ）  人体に無害であること。
【００２５】
香料の放出は、比較的低速で行う（徐放）ことが望ましい。具体的には、放出する際の風速は、例えば毎秒３ｍ未満が好ましい。
【００２６】
香料が室内で徐放される結果、体感温度を下げたい空間中に香料が浮遊する。すると、人体の嗅覚器官、皮膚（粘膜を含む）の双方に香料が作用して、嗅覚及び／又は皮膚感覚に起因して、当該空間中のユーザーは清涼感を得られる。係る清涼感により、ユーザーの体感温度が低下するという効果が得られる。同様に、大気中の湿気（湿度）が除去されて、不快指数が減少したかのような感覚が得られる。
【００２７】
徐放する態様として、香料含有霧発生手段４（図１参照）の内部の構造を、図４で示す様に、フィルム状材料６４、６４で香料９を挟み込んで、当該フィルム状の材料６４を浸透した香料９が空気中に徐々に放散される様に構成しても良い。
【００２８】
次に、第１実施形態の一実施例における制御について、主として図２に基づいて説明する。
【００２９】
先ず、ステップＳ１において、室内の気温を温度センサ１によって計測し、室内の湿度を湿度センサ２によって計測する。センサ１或いは２によって計測された温度情報及び／又は湿度情報は、入力信号ライン１１及び／又は１２によってコントロールユニット８に伝達される。
【００３０】
次のステップS２では、コントロールユニット８は、例えば、温度及び／又は湿度が所定値以上となったか否かを判定する。或いは、図示しない記憶手段に記憶された図３に示す様なマップ、即ち、温度（横軸）及び湿度（縦軸）を同時パラメータとし、ブロワの作動、非作動を二つの領域に区分した特性図（例えば、コントロールユニット８内の図示しない記憶手段に記憶されている）から、室温と室内の湿度がＦｂの領域にあるか否かを判断する。
なお、ステップＳ２において、「温度及び／又は湿度が所定値以上となったか否かを判定する」場合、所定値については、ケース・バイ・ケースにより適宜設定すれば良い。換言すれば、係る所定値は、ユーザーの感覚的なものであるため、論理的に一律に設定することは困難である。
【００３１】
温度及び／又は湿度が所定値以上となった場合、或いは、前記図３のマップにおいて室温と室内の湿度がＦｂの領域にある場合には（ステップＳ２のＹＥＳ）、前記ブロワを作動させることによって、香料をノズル６から室内に噴霧する。
或いは、前述の図示しない超音波発生手段を用いる場合には、超音波を発信し、図示しない高周波振動発生器を用いる場合には、高周波振動を与えることによって、香料をノズル６から室内に噴霧する。
【００３２】
ステップＳ４では、（コントロールユニット８は）制御を終了するのか否かを判断し、終了してよければ（ステップＳ４のＹＥＳ）、そのまま終了する。
一方、終了しないのであれば（ステップＳ４のＮＯ）、ステップＳ１まで戻り、再びステップＳ１以降を繰り返す。
【００３３】
次に、第１実施形態の変形例について、図５〜図７を参照して説明する。なお、当該変形例においては、システム全体を符号Ａ１で示す。
【００３４】
図５で示すシステムＡ１は、ノズル６の途中に風量計７を介装してある点、入力信号ライン１７によって風量計７と前記コントロールユニット８とを接続した点、ブロワの回転速度が、複数段、例えば3段に切換可能に構成されている点が、図１〜図４の実施例に対して異なっている。
それ以外の構成については図１〜図４の実施例と同様である。
【００３５】
次に、図５の変形例の制御方法について、図６及び図７を参照して説明する。
先ず、図６のステップＳ１１において、温度センサ１及び／又は湿度センサ２によって、室内温度及び／又は湿度を計測する。
【００３６】
次のステップＳ１２では、コントロールユニット８は、図７に示す様な、室内温度及び湿度と、噴霧の強さを示したマップを呼び出す。係るマップは、図示しない記憶手段に記憶されている。
図７に示すマップでは、温度及び湿度をパラメータとし、該温度及び湿度における噴霧の強さの領域を、Ｆ０〜Ｆ３の４つの領域に区分している。ここで、Ｆ０の領域の場合は噴霧をしない。Ｆ１の領域では噴霧は弱、Ｆ２の領域では噴霧は中、Ｆ３の領域では噴霧は強となっている。
【００３７】
ステップＳ１３では、前記計測した室内温度及び／又は湿度と、ステップＳ１２で呼び出したマップから、その時の室内温度及び湿度にマッチした噴霧量を決定し、噴霧を開始する（ステップＳ１４）。
例えば、図７で示す様に、気温がＴｘ℃で、湿度がλｘ％である場合は、その時点の温度及び湿度の状態は点Ｘとなり、点Ｘにおける噴霧量はＦ１の「弱」に決定される。そして、噴霧量「弱」の状態で噴霧が開始される。
【００３８】
なお、図７の例では、噴霧の強さを０から３段階に切換える様に構成しているが、Ｆ０からＦｎの領域を細かく、且つ可能な限り増やすことで、噴霧の強さを好適な段階数で調節することも可能である。
【００３９】
ステップＳ１５では、コントロールユニット８は制御を終了するか否かを判断する。制御を終了するのであれば（ステップＳ１５のＹＥＳ）、そのまま終了する。制御を終了しないのであれば（ステップＳ１５のＮＯ）、ステップＳ１１まで戻り、再びステップＳ１１以降を繰り返す。
【００４０】
次に、図８〜図１１を参照して第２実施形態を説明する。
【００４１】
図１〜図７の第１実施形態の空調システムＡ１、Ａ２は、一部屋一台のタイプである。それに対して、図８〜図１１の第２実施形態は、中央で香料をキャリア流体（例えば、空気）と混合して、各室に供給する方式（いわゆる「セントラル方式」）を採用している。
なお、図８は、システム全体を示すブロック図、図９は図８のＤ部を詳細に示したブロック図である。
【００４２】
図８及び図９に基づいて、空調システムＢの構成を説明する。
図８において、当該システムＢは、例えば３つの部屋Ｒに設置された同じ香料噴霧機構６０と、各々の室Ｒとは別の場所に設置された「キャリア及び香料」の浮遊体を発生する浮遊体発生手段４０と、浮遊体供給管５０及び戻し管５２と、制御手段であるコントロールユニット８０を備えている。
ここで浮遊体供給管５０は、途中に開閉バルブＶを介装し、前記３台の香料噴霧機構６０と前記浮遊体発生手段４０とを連通している。
尚、図８において戻し管５２は省略し、キャリア及び香料の浮遊体を室内に噴霧するだけの構成としても良い。その場合、室内に拡散した香料を、必要に応じて収集（回収）する手段を設けるのが好ましい。
【００４３】
当該空調システムＢは、図９に各部屋の装備の詳細を示すように、さらに各部屋Ｒに温度センサ１と湿度センサ２を備え、該温度センサ１及び湿度センサ２は、それぞれ入力信号ライン１１、１２によって前記コントロールユニット８０に接続されている。そしてコントロールユニット８０は制御信号ラインＬｏによって前記開閉バルブＶと接続されている。
なお、各部屋Ｒに温度センサ１或いは湿度センサ２の何れか一方のみを設ける様に構成することも可能である。
【００４４】
また、前記浮遊体発生手段４０には香料の残量を計測する残量計７０が内蔵されている。
また、前記浮遊体発生手段４０の近く及び／又は各部屋には、警報装置である例えばブザー９０、或いは図示しない音声警報手段が設置されている。
前記残量計７０は入力信号ラインＬｉによって、また警報装置（例えばブザー９０）は制御信号ラインＬｏによって前記コントロールユニット８０に接続されている。
【００４５】
前記香料噴霧機構６０は、室内の大気に、キャリア流体及び香料を、浮遊した状態で、室内全体に出来る限り均一に供給する様に構成される。
具体的には、図９に示すように、ポーラス状の噴霧手段６０Ａから香料と混合したキャリア流体が漂ってくるタイプと、図１０に示す様なポーラス状の噴霧手段６０Ａの背後から、例えば、電動ファン１００を駆動させることによって積極的にキャリア粒体を室内に放散させるタイプとがある。
【００４６】
キャリア流体が漂ってくるタイプでは、浮遊体発生手段４０に、第１実施形態で説明したような、例えば、図示しない超音波発生手段によって超音波を発信する、あるいは図示しない高周波振動発生器によって高周波振動を与えるような構成とすることが好ましい。
【００４７】
電動ファン１００を駆動させることによって積極的にキャリア粒体を室内に放散させるタイプでは、電動ファン１００は、制御信号ラインＬｏによって接続され、例えば、室温及び／又は湿度が所定の条件を満たした場合に、連続或いは所定の間隔で断続して駆動される様に構成されている。
【００４８】
ここで、キャリア流体としては、供給管５０を腐食させないことが必要である。或いは、キャリア流体が流れても腐食しないような材料で作られた供給管を用いることが必要である。
【００４９】
次に、図８及び図１１を参照して、香料の残量が不足するとそれを警告する制御方法について説明する。
【００５０】
先ず、図１１のステップＳ２１でシステムＢを起動し、ステップＳ２２では残量計７０（図８参照）で香料の残量を計測する。
【００５１】
次のステップＳ２３では、コントロールユニット８０は、香料の残量が所定値以下となるまで監視しており、所定値以下となった場合（ステップＳ２３のＹＥＳ）、ステップＳ２４に進み所定時間（例えば３秒間）ブザー９０の吹鳴、或いは図示しない音声警告手段による音声警告等によって香料不足、及び／又は香料補充を警告・喚起する。
【００５２】
次のステップ２５では、供給管５０に介装した開閉バルブＶ（図８参照）が閉じているか否かを判断し、閉じていれば（ステップＳ２５のＹＥＳ）、そのまま制御を終了する。閉じていなければ（ステップＳ２５のＮＯ）、バルブＶを閉止し（ステップＳ２６）、その後制御を終える。
【００５３】
上述した構成及び空調方法を具備した第２実施形態の作用・効果は、第1実施形態と概ね同様であるが、香料の残量計を備えているため、香料がなくなる前に香料を補填でき、香料がなくなったままでの運転が続いて不快な思いをすることを防止できる。
【００５４】
次に、図１２〜図１４を参照して、第３実施形態を説明する。
【００５５】
図１２〜図１４の第３実施形態（システム全体を符号Cで示す）は、テレビやその他の画像表示機構から、当該機構に表示されている画像に対応した清涼感のある香料が混合した気体（例えば大気）を室内に徐放する空調システムである。
画像表示機構は清涼感のある画像を表示し、それと共に、清涼感のある香料が徐放される。
【００５６】
図１２において、空調システムCは、フレーム２０aに形成された複数の噴射孔２０bを有する画像表示機構２０と、複数（図１２では３種類）の香料の噴霧を発生させる噴霧発生機４１、４２、４３と、噴霧供給管５０と、画像及び香料を決定する決定手段８００と、室内に設けられた温度センサ１及び湿度センサ２とで構成されている。ここで噴霧供給管５０は、開閉バルブVを介装し、前記複数の噴射孔２０bと各噴霧発生器４１、４２、４３とを連通している。
なお、温度センサ１と湿度センサ２の何れか一方のみを有する様に構成することも可能である。
【００５７】
前記決定手段８００は、制御手段であるコントロールユニット８１０と、記憶手段であるデータベース８２０と、画像データを前記表示機構２０に送出する画像データ送出手段８３０と、前記供給弁の開閉制御を司る供給弁開閉制御装置８４０を有している。
【００５８】
前記データベース８２０には、前記画像表示機構２０に表示される複数の画像データと、その複数の画像データと前記複数の香料との組合せのデータと、画像、香料、温度、湿度の関係を示すマップ等を記憶している。
なお、温度センサ１か湿度センサ２の何れか一方のみしか設けられていない場合には、データベース８２０には、室温或いは湿度の何れかと、表示する画像及び噴霧する香料との関係を示すデータが記憶される。
【００５９】
コントロールユニット８１０とデータベース８２０とは双方向回路L１によって接続されている。またコントロールユニット８１０は、画像データ送出手段８３０と、供給弁開閉制御装置８４０と、それぞれ回路L２、L３によって接続されている。
【００６０】
前記データベース８２０は、画像データ送出手段８３０と回路L４によって接続され、供給弁開閉制御装置８４０と回路L５によって接続されている。
【００６１】
次に、図１３及び図１２をも参照して、第３実施形態の空調方法の一例について説明する。
【００６２】
先ず、ステップS３１において、室内に設置した温度センサ１および湿度センサ２によって、室内の温度及び湿度を計測する。
【００６３】
次のステップS３２では、その時の室温、湿度及びデータベース８２０に記憶されたデータから、表示する画像及び噴霧する香料が決定される。温度センサ１か湿度センサ２の何れか一方のみしか設けられていない場合であっても、データベース８２０に記憶されたデータから、表示する画像及び噴霧する香料との関係が決定される。
尚、図示はしないが、初期設定の室温、湿度とそれに対応する画像及び噴霧する香料の組合せ（マップ等で予め設定された組合せ）を、入力手段によって任意の画像及び任意の香料の組み合わせに入力し直すことも可能である。
【００６４】
ステップS３３では決定された画像表示、決定された香料に対応する供給ラインの供給弁Vを開放する。
【００６５】
ステップS３４では制御を終了するか否かを判断し、終了するのであれば（ステップS３４のＹＥＳ）、そのまま制御を終える。一方、未だ制御を終了しない場合（ステップS３４のＮＯ）は、ステップＳ３１まで戻り、再びステップＳ３１以降を繰り返す。
【００６６】
次に、図１４を参照して、第３実施形態の空調方法の変形例について説明する。図１４の空調方法の変形例は、室温、湿度、及び表示する画像から香料の放散時間を変化させる制御例である。
【００６７】
先ず、ステップＳ４１において、コントロールユニット８１０は、画像を選定し、ステップＳ４２において気温及び／又は湿度を計測する。
【００６８】
ステップＳ４３では、気温及び／又は湿度と、表示する画像と、放散するべき香料とから、データベース８２０中のデータから香料の放散時間を演算・決定する。
【００６９】
次のステップＳ４４では、供給バルブＶを開放して香料の放散を開始し、次のステップＳ４５では、コントロールユニット８１０は、所定の開放時間が経過するまで監視しており、所定時間が経過した場合（ステップＳ４５のＹＥＳ）、供給弁Ｖを閉止して香料の放散を停止する。
【００７０】
ステップＳ４７では、コントロールユニット８１０は、所定の放散停止時間が経過するまで監視しており、所定の停止時間が経過した場合（ステップＳ４７のＹＥＳ）、次のステップＳ４８に進む。
【００７１】
ステップＳ４８では、コントロールユニット８１０は、画面変更の意思表示があったか、即ち、スイッチ等の入力手段によって画面変更操作があったか否かを判断しており、画面変更の意思表示があった場合（ステップＳ４８のＹＥＳ）は、ステップＳ４１まで戻り、再びステップＳ４１以降を繰り返す。一方、画面変更の意思表示がなければ（ステップＳ４８のＮＯ）、ステップＳ４２に戻り、ステップＳ４２以降を繰り返す。
【００７２】
図１２〜図１４の第３実施形態によれば、視覚と嗅覚（及び／又は皮膚感覚）の双方から、清涼感が得られる。
体感温度の低減効果も向上し、設定温度をさらに上げることも出来、冷房の必要性が減少する。即ち、省エネルギー効果がさらに大きくなる。
【００７３】
次に、図１５及び図１６を参照して、第４実施形態を説明する。
【００７４】
図１５及び図１６の第４実施形態では、第１実施形態〜第３実施形態と同様な構成を具備している。但し、第４実施形態では、放出される（キャリア流体に混合する）香料の粒子９Ｍは、図１５で示す様に、水（Ｈ２Ｏ）分子１４で包囲された状態で室内に放散される。即ち、香料の粒子９Ｍを包囲するＨ２Ｏ分子１４は、香料の粒子９Ｍを運搬する手段（キャリア）として機能する。
室内に放散され、香料の粒子９Ｍから分離した水（Ｈ２Ｏ）分子１４は、空気中に漂い、高分子、中分子からなる埃や塵と結合し易い。
そのような特性を利用して、空気中に漂う埃や塵を除去する技術が図１５及び図１６の第４実施形態である。
【００７５】
図１５は、香料の粒子９Ｍを水（Ｈ２Ｏ）分子１４で包囲した状態を示したものである。
香料の粒子９Ｍを水（Ｈ２Ｏ）分子１４で包囲する状態は、図示しない混合器によって、水と、高分子電解質材料及び／又は中分子電解質材料、香料を混合することにより、提供される。
【００７６】
図１６は、香料の粒子９Ｍを包囲していたＨ２Ｏ分子が室内に放散（徐放）された後、香料の粒子と分離し、新に空気中の高分子、中分子からなる埃や塵と結合し、共に落下して塵や埃を除去する工程を示した工程図である。
【００７７】
図１６の工程１６−１において、香料の粒子９Ｍを包囲していたＨ２Ｏ分子は、室内に放散（徐放）された後、直ちに香料の粒子９Ｍから分離（矢印Ｙ１の動き）を始める。係る粒子９Ｍ及びＨ２Ｏ分子の周囲には、高分子、中分子からなる「埃や塵」１５が浮遊している。
【００７８】
前記「埃や塵」１５は高分子、中分子からなり、親水性で水とは結合し易い。そのため、図１６の１６−２の工程において、空気中に浮遊し、高分子、中分子からなる「埃や塵」１５と、香料の粒子９Ｍから分離したＨ２Ｏ分子１４とは、結合（矢印Ｙ２の動き）を始める。
【００７９】
図１６の１６−３の工程では、「埃や塵」１５と（香料の粒子９Ｍから分離した）Ｈ２Ｏ分子１４とが結合して質量を増した状態（結合体の状態）で、下方に向って落下を始める。
かくして、室内の空気中に漂う「埃や塵」１５は当該空調システムを稼動していれば、自動的に除去される。
【００８０】
図１５及び図１６の第４実施形態によれば、空気中に浮遊する塵や、埃の成分である高分子及び又は中分子の物質が除去されることにより、空気中の「よどみ」感が無くなり、香料による清涼化作用が一層向上する。
【００８１】
図示の実施形態はあくまでも例示であり、本発明の技術的範囲を限定する趣旨の記述ではなないことを付記する。
【図面の簡単な説明】
【００８２】
【図１】本発明の第１実施形態の一実施例の構成を示すブロック図。
【図２】本発明の第１実施形態の空調方法を説明する制御フローチャート。
【図３】本発明の第１実施形態に係る制御マップ。
【図４】本発明の第１実施形態に係る香料供給手段の一例を示す断面図。
【図５】本発明の第１実施形態の変形実施例の構成を示すブロック図。
【図６】本発明の第１実施形態の空調方法の変形例を説明する制御フローチャート。
【図７】図６に対応する制御マップ。
【図８】本発明の第２実施形態の構成を示すブロック図。
【図９】図８のＤ部詳細図。
【図１０】Ｄ部詳細図の変形例。
【図１１】本発明の第２実施形態の空調方法を説明するフローチャート。
【図１２】本発明の第３実施形態の構成を示すブロック図。
【図１３】本発明の第３実施形態の空調方法を説明するフローチャート。
【図１４】本発明の第３実施形態の空調方法の変形例を説明するフローチャート。
【図１５】本発明の第４実施形態において、香料の粒子を水分子で包囲した状態を示す図。
【図１６】本発明の第４実施形態において、空気中の高分子、中分子からなる埃や塵を除去する工程を示した工程図。
【符号の説明】
【００８３】
１・・・温度センサ
２・・・湿度センサ
３・・・後方傾斜部
４・・・前端の余肉部
５・・・送風手段／ブロワ
６・・・ノズル
７・・・風量系
９・・・香料の層
９Ｍ・・・香料の粒子
１１、１２・・・入力信号ライン
１４・・・水の分子（Ｈ２Ｏ）
１５・・・埃や塵
２０・・・画像表示機構
２０ａ・・・フレーム
２０ｂ・・・噴射孔
８、８０、８１０・・・制御手段／コントロールユニット
４１・・・噴霧発生器
５０・・・噴霧供給管
６０・・・香料噴霧機構
６０Ａ・・・ポーラス状の噴霧手段
８２０・・・データベース
８３０・・・画像データ送出手段
８４０・・・香料用供給弁開閉制御手段
【図１】
2006002967.tif 000003
【図２】
2006002967.tif 000004
【図３】
2006002967.tif 000005
【図４】
2006002967.tif 000006
【図５】
2006002967.tif 000007
【図６】
2006002967.tif 000008
【図７】
2006002967.tif 000009
【図８】
2006002967.tif 000010
【図９】
2006002967.tif 000011
【図１０】
2006002967.tif 000012
【図１１】
2006002967.tif 000013
【図１２】
2006002967.tif 000014
【図１３】
2006002967.tif 000015
【図１４】
2006002967.tif 000016
【図１５】
2006002967.tif 000017
【図１６】
2006002967.tif 000018